(57)【要約】  電気伝送部と、光伝送経路の一端にレンズを有する光伝送部と、前記光伝送部を収容可能な筺体と、前記筺体の前面から露出された位置で前記レンズを被コネクト部に装着させるスライド機構とを備えたコネクタ。
2017208654.tif 000002
【特許請求の範囲】
【請求項１】
電気伝送部と、
光伝送経路の一端にレンズを有する光伝送部と、
前記光伝送部を収容可能な筺体と、
前記筺体の前面から露出された位置で前記レンズを被コネクト部に装着させるスライド機構と
を備えたコネクタ。
【請求項２】
前記スライド機構により、前記光伝送部は被コネクト部に向かう第１方向に移動する
請求項１記載のコネクタ。
【請求項３】
前記スライド機構は、被コネクト部の前面に接触して前記光伝送部を移動させる
請求項２記載のコネクタ。
【請求項４】
前記スライド機構により、前記筺体が被コネクト部から離れる第２方向に移動する
請求項１記載のコネクタ。
【請求項５】
前記スライド機構は、被コネクト部の前面に接触して前記筺体を移動させる
請求項４記載のコネクタ。
【請求項６】
前記電気伝送部は、前記筺体の外側に設けられている
請求項１記載のコネクタ。
【請求項７】
前記筺体内で前記レンズを覆う保護カバーを有する
請求項１記載のコネクタ。
【請求項８】
前記保護カバーはロール形状を有する
請求項７記載のコネクタ。
【請求項９】
前記保護カバーの断面形状は凹凸を有する
請求項７記載のコネクタ。
【請求項１０】
前記光伝送部は、弾性部材を介してベース部材に連結されている
請求項１記載のコネクタ。
【請求項１１】
レセプタクルを有し、
前記レセプタクルには、光素子および駆動素子が搭載された電子基板が内蔵されている
請求項１記載のコネクタ。
【請求項１２】
前記光伝送部から前記光素子への光接続部材を有する
請求項１１記載のコネクタ。
【請求項１３】
前記光接続部材には光伝送体が内蔵されている
請求項１２記載のコネクタ。
【請求項１４】
前記光伝送部は凹部を有し、
前記レンズは前記凹部に設けられている
請求項１記載のコネクタ。
【請求項１５】
第１樹脂成形部を有する光伝送部と、
前記第１樹脂成形部と同じ樹脂材料により一体的に構成された第２樹脂成形部を有する電気伝送部と、
前記電気伝送部および前記光伝送部を収容する筺体と
を備えたコネクタ。
【請求項１６】
プラグである
請求項１５記載のコネクタ。
【請求項１７】
前記光伝送部は、光伝送経路の一端にレンズを有し、
前記レンズを覆う保護カバーと、
前記保護カバーから前記レンズを露出させて前記レンズを被コネクト部に装着させるスライド機構とを備えた
請求項１５記載のコネクタ。
【請求項１８】
前記筺体は金属材料により構成されている
請求項１５記載のコネクタ。
【請求項１９】
電気伝送部および光伝送部と、
前記光伝送部の前端面を覆う保護カバーと、
前記保護カバーから露出された位置で前記光伝送部を被コネクト部に装着させるスライド機構と
を備えたコネクタ。
【請求項２０】
装着されるコネクタと逆タイプのコネクタ部を有し、
前記コネクタ部は、
電気伝送部と、
光伝送経路の一端にレンズを有する光伝送部と、
前記光伝送部を収容可能な筺体と、
前記筺体の前面から露出された位置で前記レンズを被コネクト部に装着させるスライド機構とを備えた
電子機器。
【発明の詳細な説明】
【技術分野】
【０００１】
本技術は、電気伝送と共に光伝送が可能なコネクタおよび電子機器に関する。
【背景技術】
【０００２】
現在市場には、例えばＵＳＢ（Universal Serial Bus，登録商標）およびＨＤＭＩ（Higl-Definition Multimedia Interface，登録商標）規格等のインターフェースが広く普及している。これまで、機器間の信号伝送はこのようなＨＤＭＩ（登録商標）等を用い、電気信号によりなされてきた。しかしながら、近年データの授受量が著しく増大し、伝送容量の大容量化が求められている。【０００３】
そこで、電気伝送と共に光伝送を行う技術が開発されている（例えば、特許文献１，２）。
【先行技術文献】
【特許文献】
【０００４】
【特許文献１】特開２０１３−９８０６３号公報
【特許文献２】特開２０１５−１５３６０９号公報
【発明の概要】
【０００５】
しかしながら、このような電気接続とともに光接続が可能なハイブリッド構造では、耐候性が低下しやすい。
【０００６】
したがって、高い耐候性を有するコネクタおよび電子機器を提供することが望ましい。
【０００７】
本技術の一実施形態のコネクタ（１）は、電気伝送部と、光伝送経路の一端にレンズを有する光伝送部と、光伝送部を収容可能な筺体と、筺体の前面から露出された位置でレンズを被コネクト部に装着させるスライド機構とを備えたものである。
【０００８】
本技術の一実施形態のコネクタ（２）は、電気伝送部および光伝送部と、光伝送部の前端面を覆う保護カバーと、保護カバーから露出された位置で光伝送部を被コネクト部に装着させるスライド機構とを備えるものである。
【０００９】
本技術の一実施形態のコネクタ（３）は、第１樹脂成形部を有する光伝送部と、第１樹脂成形部と同じ樹脂材料により一体的に構成された第２樹脂成形部を有する電気伝送部と、電気伝送部および光伝送部を収容する筺体とを備えたものである。
【００１０】
本技術の一実施形態の電子機器（１）は、装着されるコネクタと逆タイプのコネクタ部を有し、コネクタ部は、電気伝送部と、光伝送経路の一端にレンズを有する光伝送部と、光伝送部を収容可能な筺体と、筺体の前面から露出された位置でレンズを被コネクト部に装着させるスライド機構とを備えたものである。
【００１１】
本技術の一実施形態の電子機器（２）は、装着されるコネクタと逆タイプのコネクタ部を有し、コネクタ部は、電気伝送部および光伝送部と、光伝送部の前端面を覆う保護カバーと、保護カバーから露出された位置で光伝送部を被コネクト部に装着させるスライド機構とを備えるものである。
【００１２】
本技術の一実施形態の電子機器（３）は、装着されるコネクタと逆タイプのコネクタ部を有し、コネクタ部は、第１樹脂成形部を有する光伝送部と、第１樹脂成形部と同じ樹脂材料により一体的に構成された第２樹脂成形部を有する電気伝送部と、電気伝送部および光伝送部を収容する筺体とを備えたものである。
【００１３】
本技術の一実施形態のコネクタ（１），（２）および電子機器（１），（２）では、スライド機構が設けられているので、光伝送部は非装着時に筺体または保護カバーに保護され、装着時に筺体の前面から露出される。
【００１４】
本技術の一実施形態のコネクタ（３）および電子機器（３）では、一つの筺体内に光伝送部と電気伝送部とが収容されるので、光伝送部の周囲は電気伝送部と筺体により囲われる。
【００１５】
本技術の一実施形態のコネクタ（１），（２）および電子機器（１），（２）によれば、スライド機構を設けるようにしたので、非装着時には光伝送部が筺体または保護カバーにより保護される。よって、耐候性を向上させることができる。
【００１６】
本技術の一実施形態のコネクタ（３）および電子機器（３）によれば、一つの筺体内に光伝送部と電気伝送部とを収容するようにしたので、光伝送部を筺体とともに電気伝送部により支持することができる。よって、耐候性を向上させることができる。
【００１７】
なお、上記本技術の一実施形態のコネクタ（１）〜（３）は、プラグおよびレセプタクルの少なくともどちらか一方に該当する。また、上記内容は本開示の一例である。本開示の効果は、上述したものに限らず、他の異なる効果であってもよいし、更に他の効果を含んでいてもよい。
【図面の簡単な説明】
【００１８】
【図１】本技術の第１の実施の形態に係るコネクタの要部構成を表す斜視図である。
【図２】図１に示したコネクタの構成を表す正面図である。
【図３】（Ａ）は図１に示したコネクタの構成を表す上面図、（Ｂ）は側面図である。
【図４】図１に示したコネクタが電子機器に装着された状態を説明するための斜視図である。
【図５】（Ａ）は図３に示した光伝送部およびベース部材の構成を表す上面図、（Ｂ）は側面図である。
【図６】図３に示したベース部材とアームとの関係について説明するための図である。
【図７】（Ａ）は図３に示したリンク部材の構成を表す上面図、（Ｂ）は側面図である。
【図８】図７に示したリンク部材の動きについて説明するための図である。
【図９】図１に示したコネクタが装着される電子機器の全体の構成を表す斜視図である。
【図１０】図９に示したコネクタ部の要部構成を表す斜視図である。
【図１１】図１０に示したコネクタ部の構成を表す正面図である。
【図１２】（Ａ）は図１０に示したコネクタ部の構成を表す上面図、（Ｂ）は側面図である。
【図１３】（Ａ）は図１２に示した光伝送部の構成を表す上面図、（Ｂ）は側面図である。
【図１４】図１２に示したベース部材の構成を表す正面図である。
【図１５】（Ａ）は図１２に示したベース部材の構成を表す上面図、（Ｂ）は側面図、（Ｃ）は下面図である。
【図１６】図１２に示したアームの構成を表す側面図である。
【図１７】図１２に示したアームの構成を表す上面図である。
【図１８Ａ】図１に示したコネクタが図１０に示したコネクタ部に装着される様子を表す側面図である。
【図１８Ｂ】図１８Ａに続く状態を表す側面図である。
【図１８Ｃ】図１８Ｂに続く状態を表す側面図である。
【図１８Ｄ】図１８Ｃに続く状態を表す側面図である。
【図１９Ａ】図１に示したコネクタが装着される際のコネクタ部の構成を表す上面図である。
【図１９Ｂ】図１９Ａに続く状態を表す上面図である。
【図１９Ｃ】図１９Ｂに続く状態を表す上面図である。
【図２０Ａ】図１に示したコネクタを図１０に示したコネクタ部に装着する前のレンズの状態について説明するための図である。
【図２０Ｂ】図２０Ａに続く状態を表す図である。
【図２１】変形例１に係るコネクタ部の構成を表す正面図である。
【図２２】本技術の第２の実施の形態に係るコネクタの要部構成を表す斜視図である。
【図２３】図２２に示したコネクタの構成を表す正面図である。
【図２４】図２２に示したコネクタの構成を表す側面図である。
【図２５】図２２に示したスライド型筺体の構成を表す正面図である。
【図２６】図２２に示したスライド型筺体の構成を保護カバーとともに表す側面図である。
【図２７】図２４に示したベース部材の構成を表す正面図である。
【図２８】（Ａ）は図２４に示したベース部材の構成を表す上面図、（Ｂ）は一方の側面図、（Ｃ）は他方の側面図である。
【図２９】（Ａ）は図２２に示した光伝送部の構成を表す上面図、（Ｂ）は側面図である。
【図３０】図２２に示したコネクタが装着されるコネクタ部の構成を表す斜視図である。
【図３１】図３０に示したコネクタ部の構成を表す正面図である。
【図３２】図３０に示したコネクタ部の構成を表す側面図である。
【図３３】図３２に示した連動部材の構成を表す正面図である。
【図３４】（Ａ）は図３２に示した連動部材の構成を表す上面図、（Ｂ）は一方の側面図、（Ｃ）は他方の側面図である。
【図３５Ａ】図２２に示したコネクタが図３０に示したコネクタ部に装着される様子を表す側面図である。
【図３５Ｂ】図３５Ａに続く状態を表す側面図である。
【図３５Ｃ】図３５Ｂに続く状態を表す側面図である。
【図３５Ｄ】図３５Ｃに続く状態を表す側面図である。
【図３６】コネクタ部に装着された際のコネクタの状態について説明するための側面図である。
【図３７】本技術の第３の実施の形態に係るコネクタの構成を表す正面図である。
【図３８】図３７に示したコネクタの構成を表す側面図である。
【図３９】（Ａ）は図３７に示したコネクタに設けられる保護カバーおよび連動部材の構成を表す上面図、（Ｂ）は側面図である。
【図４０】図３９に示した保護カバーおよび連動部材の構成を表す斜視図である。
【図４１】図３７に示したコネクタが装着されるコネクタ部の構成を表す正面図である。
【図４２】図４１に示したコネクタ部の構成を表す側面図である。
【図４３】変形例２に係るコネクタ部の構成を表す側面図である。
【図４４】図４３に示したコネクタ部の他の例（１）を表す側面図である。
【図４５】図４４に示したコネクタ部がコネクタに装着された状態を表す側面図である。
【図４６】図４３に示したコネクタ部の他の例（２）を表す側面図である。
【図４７】変形例３に係る保護カバーを表す断面図である。
【発明を実施するための形態】
【００１９】
以下、本技術の実施の形態について、図面を参照して詳細に説明する。なお、説明は以下の順序で行う。
１．第１の実施の形態
光伝送部を移動させるスライド機構を備えた例
２．変形例１
光部筺体に突起が設けられた例
３．第２の実施の形態
筺体を移動させるスライド機構（スライド型筺体）を備えた例
４．第３の実施の形態
一つの筺体内に電気伝送部と光伝送部とを備えた例
５．変形例２
レセプタクルに配線基板が内蔵されている例
６．変形例３
保護カバーの断面形状が凹凸を有する例
【００２０】
〔第１の実施の形態〕
（コネクタ１の構成）
図１は本技術の一実施の形態に係るコネクタ（コネクタ１）の主要部の構成を表したものである。図２はコネクタ１全体の正面（Ｙ軸方向）、図３（Ａ）は上面（Ｚ軸方向）、図３（Ｂ）は側面（Ｘ軸方向）の構成をそれぞれ表している。図１〜図３は、コネクタ部（後述の図１０のコネクタ部２００Ｃ）に装着されていない状態を表している。なお、コネクタ１とコネクタ部とを互いに近づける方向を前方向として以下説明する。本実施の形態では、コネクタ１および後述のコネクタ部２００Ｃが本技術の一実施形態のコネクタ（１）の一具体例に該当する。
【００２１】
コネクタ１は例えばＨＤＭＩ（登録商標）規格のコネクタである。このコネクタ１は、電気部筺体１０および光部筺体２０と、これらを支持する支持体３０とを有している。電気部筺体１０は、支持体３０の前端面３０Ｆ（ＸＺ面）から突出して設けられている。光部筺体２０は、電気部筺体１０の外側に設けられている。この光部筺体２０は、電気部筺体１０の上部に配置されている。電気部筺体１０の内側には電気伝送部１１が収容され、光部筺体２０の内側には光伝送部２１が収容されている。光伝送部２１の後方にはベース部材２２が設けられ（図３）、光伝送部２１とベース部材２２とは２つの弾性部材２５を介して連結されている。電気部筺体１０の上面１０Ｕと光伝送部２１およびベース部材２２との間にはリンク部材２３（スライド機構）が設けられている。リンク部材２３は、板状部材２３０と２本のアーム２３１を有している。板状部材２３０の前端は、光部筺体２０の前端よりも突出した位置に配置されている。２本のアーム２３１により、リンク部材２３の動きと連動してベース部材２２および光伝送部２１が前後方向（Ｙ方向）に移動するようになっている。光伝送部２１の前端面は保護カバー２４により覆われている。コネクタ１は、所謂オス型コネクタ、かつ、プラグであり、例えばメス型コネクタ、かつ、レセプタクルを有する電子機器（例えば後述の図９の電子機器２）に装着されて、電気伝送および光伝送を行うことができるようになっている。なお、図１および図２では説明の都合上、保護カバー２４を図示していない。
【００２２】
電気部筺体１０は、例えばステンレス等の金属により構成されており、正面に開口１０Ｋを有している。開口１０Ｋは、例えば、略台形状であり、この開口１０Ｋにメス型コネクタが嵌合されるようになっている。
【００２３】
電気部筺体１０の内側に設けられた電気伝送部１１は、例えばポリイミド等からなる絶縁性の基板に、電気部筺体１０の延在方向（Ｙ軸方向）に延びる複数の電極１１１が設けられたものである。電極１１１の配置は例えばＨＤＭＩ（登録商標）規格に則ったものとなっている。
【００２４】
光部筺体２０は、電気部筺体１０よりも後退した位置に配置され、支持体３０に埋め込まれるように設けられている。光伝送部２１の上面および側面を囲むように設けられている。即ち、光部筺体２０は、光伝送部２１の周りにコの字状に設けられている。光伝送部２１の下面は、電気部筺体１０の上面１０Ｕに支持されている。光部筺体２０の前面は開口２０Ｋとなっている。この開口２０Ｋから光伝送部２１が露出されて、コネクタ１はメス型コネクタに装着されるようになっている。
【００２５】
光伝送部２１は、支持部２１１、複数のレンズ２１２、位置規制部２１３および光伝送体２１Ｆを有している。支持部２１１は、略直方体状の形状を有している。支持部２１１の前端面にレンズ２１２および位置規制部２１３が設けられており、各レンズ２１２の後方から、支持部２１１の前後方向（Ｙ方向）に沿って、光伝送体２１Ｆが延びている。即ち、コネクタ１では、光伝送部２１の前後方向に沿って光伝送経路が設けられており、その一端にレンズ２１２が配置されている。
【００２６】
光伝送部２１は、ベース部材２２を介してリンク部材２３に接続されることにより、前後方向に移動可能となっている。メス型コネクタへ未装着時には光伝送部２１の前端面が光部筺体２０の前面（開口２０Ｋ）よりも後方に配置され、光伝送部２１は光部筺体２０に収容されている。
【００２７】
図４は、電子機器に装着される際の光伝送部２１の位置を表している。このように、メス型コネクタへの装着時には、光部筺体２０の前面（開口２０Ｋ）から、レンズ２１２および位置規制部２１３を含む光伝送部２１の前端部が前方向（メス型コネクタに近づく方向，第１方向）に露出される。詳細は後述するが、このように光伝送部２１が前後方向に移動可能となっているので、メス型コネクタへの未装着時に光伝送部２１が光部筺体２０により保護される。
【００２８】
図５は、光伝送部２１の構成をベース部材２２の構成と共に示したものである。図５（Ａ）は光伝送部２１およびベース部材２２の上面、図５（Ｂ）はこれらの側面の構成をそれぞれ表している。光伝送部２１、より具体的には光伝送部２１の支持部２１１は、弾性部材２５により後方のベース部材２２に連結されている。弾性部材２５は、例えばバネにより構成されている。これにより、物理的な刺激による光伝送部２１への衝撃が緩和される。また、製造ばらつき等に起因して光伝送部２１とメス型コネクタの光伝送部（後述の図１０の光伝送部５１）との互いの位置関係にずれが生じている場合にも、この弾性部材２５によって付加される与圧により、これらを確実に勘合させることができる。
【００２９】
光伝送部２１の支持部２１１は、例えば射出成型用樹脂により構成されている。上述のように、電子機器への未装着時には、支持部２１１の前端面は光部筺体２０の前端面（開口２０Ｋ）よりも後方に配置されている（図３（Ａ），図３（Ｂ））。支持部２１１の前端面の中央部には凹部２１４が設けられ、この凹部２１４内にレンズ２１２が設けられている。凹部２１４は、支持部２１１の前端面よりも例えば５０μｍ〜５００μ程度後退している。
【００３０】
レンズ２１２は、コリメートレンズであり、光伝送体からの射出光を平行光化し、あるいは電子機器からの入射光（平行光）を光伝送体の端部に集光するためのものである。レンズ２１２は、支持部２１１の前端面に沿って（Ｘ軸方向）例えば、２５０μｍピッチで複数配置されている。電子機器への装着時には、この複数のレンズ２１２の各々が電子機器側のレンズ（図１０のレンズ５１２）と対向するようになっている。光伝送体２１Ｆは、レンズ２１２の焦点に対応して設けられ、レンズ２１２に光学的に結合している。この光伝送体２１Ｆにより、レンズ２１２からの入射光が伝播され、あるいは伝播してきた光がレンズ２１２を介して電子機器側のレンズに射出される。この光伝送体２１Ｆは、例えば光ファイバ等であり、石英、硝材、フッ素系ポリマーあるいはアクリル系ポリマー等により構成されている。
【００３１】
位置規制部２１３は、電子機器への装着時に位置合わせを行うためのものであり、支持部２１１の前端面の両端に２つ設けられている。この位置規制部２１３が、メス型コネクタの光伝送部に設けられた位置規制部（図１０の位置規制部５１３）と勘合して、光伝送部２１が精確な位置に固定されるようになっている。例えば、位置規制部２１３は支持部２１１の前端面に設けられた円状のへこみであり、メス型コネクタの位置規制部が、このへこみに適合する突起である。位置規制部２１３が突起により構成され、メス型コネクタの位置規制部がへこみにより構成されていてもよい。
【００３２】
ベース部材２２は、平面（ＸＹ平面）視で、略矩形状を有しており、リンク部材２３と連動して動くようになっている。ベース部材２２には、横方向（Ｘ方向）に延びる楕円状の孔部２２１が設けられている。この孔部２２１は、例えばベース部材２２のうち、前方、即ち、光伝送部２１に近い位置に設けられている。ベース部材２２は、例えばステンレス板により構成されており、上面から後方にかけて屈曲するＬ字状の上部材２２２と板状の下部材２２３とを有している。下部材２２３は、上部材２２２の上面と対向するように配置されている。
【００３３】
図６は、ベース部材２２とリンク部材２３との関係を表すものである。ベース部材２２の孔部２２１には、例えば２本の棒状の引掛部材２２４が設けられている。リンク部材２３の２本のアーム２３１には、それぞれ力点２３１Ａ、支点２３１Ｂおよび作用点２３１Ｃが存在しており、この作用点２３１Ｃが引掛部材２２４に作用してベース部材２２が前後方向に移動するようになっている。
【００３４】
図７は、リンク部材２３の構成を表したものである。図７（Ａ）はリンク部材２３の上面、図７（Ｂ）はリンク部材２３の側面の構成をそれぞれ表している。リンク部材２３は、前述のように、板状部材２３０および２本のアーム２３１を有している。板状部材２３０の後端には２つの弾性部材２６が接続されており、リンク部材２３は前後方向に移動可能となっている。弾性部材２６は、例えばバネにより構成されている。板状部材２３０は、略矩形状の前方部２３０Ｆと前方部２３０Ｆよりも幅広に形成された後方部２３０Ｒとを有している。前方部２３０Ｆの前端の２つの角は、切り取られた形状となっている。板状部材２３０は、線対称な形状を有しており、２本のアーム２３１はこの板状部材２３０の対称軸に対して、互いに対称となる位置に配置されている。板状部材２３０の前方部２３０Ｆから後方部２３０Ｒにかけて、前後方向に延びる楕円状の２つの孔部２３２が設けられている。この２つの孔部２３２は、板状部材２３０の対称軸に対して、互いに対称となる位置に配置されている。この孔部２３２内にアーム２３１の支点２３１Ｂが配置される。アーム２３１は、外側から順に力点２３１Ａ、支点２３１Ｂおよび作用点２３１Ｃを有している。メス型コネクタへの未装着時には、アーム２３１の作用点２３１Ｃは、板状部材２３０（後方部２３０Ｒ）の後端よりも後方に配置されている（図７）。即ち、前方から力点２３１Ａ、支点２３１Ｂおよび作用点２３１Ｃの順となる。
【００３５】
図８は、メス型コネクタへの装着時のリンク部材２３の状態を表したものである。電子機器への装着時には、板状部材２３０（前方部２３０Ｆ）の前端部がメス型コネクタに押しつけられることにより、孔部２３２内を支点２３１Ｂが移動し、作用点２３１Ｃは引掛部材２２４に作用する。これにより、ベース部材２２と共に光伝送部２１が前方に移動するようになっている。メス型コネクタへの装着時には、支点２３１Ｂは、孔部２３２内を前方に移動し、アーム２３１では前方から作用点２３１Ｃ、支点２３１Ｂおよび力点２３１Ａの順となる。
【００３６】
保護カバー２４は、メス型コネクタへの未装着時に光伝送部２１を汚れや破損から保護するためのものであり、保護カバー２４の材料としては、例えばステンレス板を用いることができる。保護カバー２４は、光伝送部２１の上面から前端面にかけて設けられた上部２４Ａと、下面から前端面にかけて設けられた下部２４Ｂとにより構成されている。上部２４Ａおよび下部２４Ｂそれぞれの一部は、光伝送部２１の前端面で重なっている。保護カバー２４は、光伝送部２１の前端面に、側面視で円弧状に形成されており、光伝送部２１の前端面には接していない。保護カバー２４は、光伝送部２１の前端面に巻きつくようなロール形状を有している。この保護カバー２４は、光部筺体２０に固定されており、メス型コネクタへの装着時には、この保護カバー２４よりも光伝送部２１の前端面が前方に移動するようになっている。保護カバー２４は、光伝送部２１の上面から前端面かけて設けられ、上側に開く構成となっていてもよい。あるいは、保護カバー２４は、光伝送部２１の下面から前端面かけて設けられ、下側に開く構成となっていてもよい。即ち、保護カバー２４は、上下のうち一方の片開きの構成となっていてもよい。
【００３７】
（コネクタ部２００Ｃの構成）
図９は、コネクタ１が装着される電子機器２の外観を表している。電子機器２はノート型パーソナルコンピュータであり、例えば、本体２００，文字等の入力操作のためのキーボード２００Ｋおよび画像を表示する表示部２００Ｄを有しており、本体２００にコネクタ１とは逆タイプのコネクタ部２００Ｃ（メス型コネクタ）が設けられている。この電子機器２は、光伝送機能を有するコネクタ１を装着可能であり、かつ、既存の電気伝送機能のみを有するコネクタも装着することができる。このコネクタ部２００Ｃは、電気部筺体（後述の図１０の電気部筺体４０）がコネクタ１の電気部筺体１０（電気伝送部１１）を収容可能な凹状である点以外は、コネクタ１とほぼ同様の構成を有している。
【００３８】
図１０は、コネクタ部２００Ｃの構成を表している。図１１はコネクタ部２００Ｃの正面、図１２（Ａ）は上面、図１２（Ｂ）は側面の構成をそれぞれ表している。図１１および図１２は、コネクタ１に装着されていない状態を表している。このように、このコネクタ部２００Ｃは、コネクタ１とほぼ同様の構成であり、電気部筺体４０に電気伝送部４１、光部筺体５０に光伝送部５１がそれぞれ収容されている。電気部筺体４０および光部筺体５０は、支持体６０に支持されている。
【００３９】
光伝送部５１の後方にはベース部材５２が設けられ、光伝送部５１とベース部材５２とは弾性部材（後述の図１５の弾性部材５５）を介して連結されている。コネクタ部２００Ｃは、コネクタ１のリンク部材２３に代えて、リンク部材５３を有している。リンク部材５３は、移動部材５３０およびアーム５３Ａにより構成されている。リンク部材５３には、移動部材５３０およびアーム５３Ａが、それぞれ２つずつ設けられている。電気部筺体４０の前端面には、移動部材５３０の前端部（突起５３Ｃ）が設けられており、この突起５３Ｃにコネクタ１が押し当てられると、移動部材５３０およびアーム５３Ａの動きと連動してベース部材５２および光伝送部５１が移動するようになっている。図１２（Ａ）では、ベース部材５２および光伝送部５１が後方にある時のアーム５３Ａを実線で表し、これらが前方にあるときのアーム５３Ａを破線で表している。光伝送部５１の前端面は保護カバー５４により覆われている。なお、図１０および図１１では説明の都合上、保護カバー５４を図示していない。
【００４０】
光伝送部５１は、支持部５１１、複数のレンズ５１２、位置規制部５１３および光伝送体５１Ｆを有している。光伝送部５１は、ベース部材５２を介してリンク部材５３に接続されることにより、前後方向に移動可能となっている。光部筺体５０の前面は、開口５０Ｋとなっている。コネクタ１への未装着時には光伝送部５１の前端面が光部筺体５０の前面（開口５０Ｋ）よりも後方に配置され、光伝送部５１は光部筺体５０に収容されている。コネクタ１への装着時には、光部筺体５０の前面（開口５０Ｋ）から、レンズ５１２が前方向（オス型コネクタに近づく方向）に露出される。詳細は後述するが、このように光伝送部５１が前後方向に移動可能となっているので、コネクタ１への未装着時に光伝送部５１が光部筺体５０により保護される。
【００４１】
図１３は、光伝送部５１の構成を示したものである。図１３（Ａ）は光伝送部５１の上面、図１３（Ｂ）は側面の構成をそれぞれ表している。支持部５１１の前端面の中央部には凹部５１４が設けられ、この凹部５１４内にレンズ５１２が設けられている。位置規制部５１３は、コネクタ１の位置規制部２１３に勘合する形状を有するものである。位置規制部５１３は、例えば直線状に延びるピン５１３Ｐの端部が光伝送部５１の前端面から突出することにより形成されている。このピン５１３Ｐは、ベース部材５２に支持されている。これにより、ピン５１３Ｐを光伝送部５１により支持した場合に比べて、より少ない光伝送部５１のストローク（移動距離）でより長く位置規制部５１３（光伝送部５１の前端面から突出するピン５１３Ｐ）の長さが維持される。
【００４２】
図１４および図１５は、ベース部材５２の構成をピン５１３Ｐとともに示したものである。図１４は、ベース部材５２の前面、図１５（Ａ）は上面、図１５（Ｂ）は側面、図１５（Ｃ）は下面の構成をそれぞれ表している。光伝送部５１、より具体的には光伝送部５１の支持部５１１は、弾性部材５５により後方のベース部材５２に連結されている。これにより、物理的な刺激による光伝送部５１への衝撃が緩和される。また、製造ばらつき等に起因して光伝送部２１とメス型コネクタの光伝送部５１との互いの位置関係にずれが生じている場合にも、この弾性部材５５によって付加される与圧により、これらを確実に勘合させることができる。弾性部材５５は、例えばバネにより構成されている。
【００４３】
ベース部材５２は、平面（ＸＹ平面）視で、略矩形状を有しており、リンク部材５３と連動して動くようになっている。ベース部材５２には、横方向（Ｘ方向）に延びる楕円状の孔部５２１が設けられており、この孔部５２１を例えば２本の棒状の引掛部材が貫通している（図示せず）。
【００４４】
図１６および図１７は、移動部材５３０およびアーム５３Ａの構成を表したものである。図１６は、移動部材５３０およびアーム５３Ａの側面、図１７は上面の構成をそれぞれ表している。移動部材５３０は、平面視で例えば矩形状の形状を有している。移動部材５３０の前端は、突起５３Ｃを構成しており、移動部材５３０の後端には、弾性部材５６が接続されている。電気部筺体４０は、例えば上面視で線対称の形状を有しており、２本のアーム５３Ａはこの電気部筺体４０の対称軸に対して、互いに対称となる位置に配置されている。アーム５３Ａには、例えば外側から力点５３Ａ−Ａ、支点５３Ａ−Ｂおよび作用点５３Ａ−Ｃが配置されており、力点５３Ａ−Ａが移動部材５３０に連結されている。アーム５３Ａは支点５３Ａ−Ｂを中心に回転可能となっている（図１２（Ａ））。
【００４５】
保護カバー５４（図１２（Ｂ））は、コネクタ１への未装着時に光伝送部５１を汚れや破損から保護するためのものである。保護カバー５４は、光伝送部５１の上面から前端面にかけて設けられた上部５４Ａと、下面から前端面にかけて設けられた下部５４Ｂとにより構成されている。上部５４Ａおよび下部５４Ｂそれぞれの一部は、光伝送部５１の前端面で重なっている。保護カバー５４は、光伝送部５１の前端面に、側面視で円弧状に形成されており、光伝送部５１の前端面に接していない。保護カバー５４は、ロール形状を有している。この保護カバー５４は、光部筺体５０に固定されており、コネクタ１への装着時には、この保護カバー５４よりも光伝送部５１の前端面が前方に移動するようになっている。保護カバー５４は、保護カバー２４と同様に、光伝送部５１の上面から前端面かけて設けられ、上側に開く構成となっていてもよい。あるいは、保護カバー５４は、光伝送部５１の下面から前端面かけて設けられ、下側に開く構成となっていてもよい。即ち、保護カバー５４は、上下のうち一方の片開きの構成となっていてもよい。
【００４６】
（コネクタ１のコネクタ部２００Ｃへの装着）
図１８Ａ〜図１８Ｄは、コネクタ１をコネクタ部２００Ｃに装着する際のこれらの変化を側面視で順に表している。図１９Ａ〜図１９Ｃは、このときのコネクタ部２００Ｃの変化の様子を上面視で順に表したものである。
【００４７】
待機状態ではコネクタ１の光伝送部２１が光部筺体２０に収容されており、コネクタ部２００Ｃの光伝送部５１は光部筺体５０に収容されている（図１８Ａ，図１９Ａ）。コネクタ１をコネクタ部２００Ｃに近づけていくと、まず、コネクタ１の電気部筺体１０がコネクタ部２００Ｃの電気部筺体４０に差し込まれる。引き続き、コネクタ１を前進させるとコネクタ部２００Ｃ（電気部筺体４０）の前端面に板状部材２３０の前端が押し当てられる。このとき、コネクタ１では、板状部材２３０が後方に移動し（孔部２３２内をアーム２３１の支点２３１Ｂが前方に移動し）、アーム２３１がベース部材２２を前方に移動させる。これとともに、弾性部材２５を介して光伝送部２１が前方に移動し始める（図１８Ｂ）。コネクタ部２００Ｃでは、突起５３Ｃ（移動部材５３０の前端）にコネクタ１の前端面が押し当てられると、移動部材５３０が後方に移動し、アーム５３Ａがベース部材５２を前方に移動させる。これとともに弾性部材５５を介して光伝送部５１が前方に移動し始める。更に、コネクタ１を前進させると、コネクタ１では光伝送部２１の前端面が光部筺体２０の開口２０Ｋから露出され、レンズ２１２および位置規制部２１３を含む光伝送部２１の前端部が光部筺体２０の外側に配置される（図１８Ｃ）。同様に、コネクタ部２００Ｃにおいても、光伝送部５１の前端面が光部筺体５０の開口５０Ｋから露出され、レンズ５１２および位置規制部５１３を含む光伝送部５１の前端部が光部筺体５０の外側に配置される（図１９Ｂ）。更に、コネクタ１を前進させることにより、コネクタ１の位置規制部２１３とコネクタ部２００Ｃの位置規制部５１３とが勘合してコネクタ１とコネクタ部２００Ｃとの間で光伝送がなされる（図１８Ｄ，図１９Ｃ）。コネクタ１をコネクタ部２００Ｃから抜き出すと、上記と逆の動作がなされる。これにより、光伝送部２１は光部筺体２０に収容され、光伝送部５１は光部筺体５０に収容される。光伝送部２１のストローク（移動距離）は、例えば２．５ｍｍであり、光伝送部５１のストロークは、例えば３．５ｍｍである。このように、コネクタ１およびコネクタ部２００Ｃの双方の光伝送部２１，５１が移動することにより、各々の移動距離を短くすることができる。これにより、光伝送部を有しない被コネクト部に接続された場合にも、退避距離を十分に確保することが可能となる。即ち、コネクタ１およびコネクタ部２００Ｃは下位互換性を保証しやすい。また、光伝送部の移動に起因して光ファイバ等の光伝送体に変形ストレスがかかり易くなるが、双方の光伝送部２１，５１が移動することにより、これが折半されて緩和される。
【００４８】
（コネクタ１およびコネクタ部２００Ｃの作用）
このコネクタ１では、電気部筺体１０を電子機器２の電気部筺体４０へ嵌合させると、コネクタ１の電気伝送部１１が電子機器２の電気伝送部４１に接続し、電気伝送がなされる。加えて、上記のように、光伝送部２１および光伝送部５１が移動して光伝送がなされる。
【００４９】
図２０Ａおよび図２０Ｂは、光伝送部２１の位置規制部２１３が光伝送部５１の位置規制部５１３に勘合して光伝送が行われる際の前後の状態を表したものである。位置規制部２１３，５１３により、複数のレンズ２１２各々とレンズ５１２との精確な位置合わせが行われる。このとき、レンズ２１２，５１２は凹部２１４，５１４に配置されているので、レンズ２１２とレンズ５１２とは接触しない。支持部２１１の両端と支持部５１１の両端とが当接し、レンズ２１２，５１２が配置された空間は密閉される。この状態で、電子機器２（レンズ５１２）から光（平行光）が出射されると、この光は密閉空間を伝播し、レンズ２１２で光伝送体の端部に集光される。更に光伝送体内を伝わり、その先に接続された相手方の電子機器に入力される。この相手方の電子機器から、電子機器２へ光信号が入力される場合も同様である。ここでは、未装着時には、光伝送部２１（または光伝送部５１）が光部筺体２０（または光部筺体５０）に収容され、装着時に光伝送部２１が移動してレンズ２１２が光部筺体２０から露出されるようになっている。これにより、未装着時には光伝送部２１が保護されるので、コネクタ１の耐候性を向上させることができる。以下、これについて説明する。
【００５０】
例えば、光伝送部が未装着時にも光部筺体から露出されている場合には、光伝送部のレンズが外部からの刺激（外乱）を受けやすく、これによりレンズが破損する虞がある。例えば、物理的な刺激のほか、湿度および気温の影響を受けてレンズが変形もしくは破損する虞もある。光伝送部は、電気伝送部と比較して破損しやすく、耐候性が低い。
【００５１】
これに対し、本実施の形態のコネクタ１（またはコネクタ部２００Ｃ）では、リンク部材２３（またはリンク部材５３）を設けるようにしたので、光伝送部２１（または光伝送部５１）が前後方向に移動可能となる。これにより、未装着時には光伝送部２１が光部筺体２０（または光部筺体５０）に収容され、装着時に光部筺体２０からレンズ２１２および位置規制部２１３を含む光伝送部２１の前端部（またはレンズ５１２および位置規制部５１３を含む光伝送部５１の前端部）が露出される。よって、未装着時に光伝送部２１を光部筺体２０により保護することができるので、コネクタ１の耐候性を高めることができる。
【００５２】
以上、本実施の形態では、リンク部材２３を設けるようにしたので、光伝送部２１の前後方向の移動が可能となり、未装着時の光伝送部２１を光部筺体２０により保護することができる。よって、コネクタ１の耐候性を高めることができる。
【００５３】
更に、保護カバー２４（または保護カバー５４）を設けるようにしたので、未装着時には光伝送部２１（または光伝送部５１）を前面から保護することができる。これにより、意図しない光（レーザ）照射が発生した場合にも外部への漏れを防止でき、レーザの安全基準にも対応し易くなる。
【００５４】
また、光伝送部２１（または光伝送部５１）を、その後方のベース部材２２（またはベース部材５２）に弾性部材２５（または弾性部材５５）により接続するようにしたので、光伝送部２１への物理的な衝撃が緩和される。また、製造ばらつき等に起因した位置ずれにも対応できるようになる。
【００５５】
なお、コネクタ１（またはコネクタ部２００Ｃ）は、光伝送部が移動しないコネクタ部（コネクタ）にも勘合可能である。即ち、一方の光伝送部が移動し、他方の光伝送部が移動せずに勘合するような設計も可能であるが、オス型コネクタとメス型コネクタとの両方の光伝送部が移動することが好ましい。これにより、それぞれの光伝送部のストロークを短くすることができ、ひいては光ファイバ等の光伝送体にかかる変形ストレスが緩和される。
【００５６】
以下、本技術の変形例および他の実施の形態について説明するが、上記実施の形態と共通の構成要素については同一符号を付してその説明は省略する。
【００５７】
〔変形例１〕
図２１は、変形例１に係るコネクタ部（コネクタ部２００Ｃ−１）の前面の構成を表したものである。このように、突起５３Ｃを光部筺体５０の前端面に設けるようにしてもよい。これにより、オス型コネクタが光伝送部を有しない場合には、光伝送部５１は移動しないようになる。これにより、電気伝送部のみのオス型コネクタに装着される際に、光伝送部５１に不必要な衝撃が加わることもなく、また、不要な露出動作がなされることもない。即ち、より確実に下位互換性が保証される。
【００５８】
〔第２の実施の形態〕
（コネクタ３の構成）
図２２は、本技術の第２の実施の形態に係るコネクタ（コネクタ３）の主要部の構成を表したものである。図２３はコネクタ３全体の正面、図２４は側面の構成をそれぞれ表している。図２２〜図２４は、コネクタ部（後述の図３０のコネクタ部４）に装着されていない状態を表している。このコネクタ３は、スライド型筺体２０Ｂ（スライド機構）を有するものであり、このスライド型筺体２０Ｂが後方（メス型コネクタから離れる方向，第２方向）に移動して、レンズ２１２および位置規制部２１３を含む光伝送部２１の前端部がスライド型筺体２０Ｂから露出されるようになっている。この点において、コネクタ３は、上記第１の実施の形態のコネクタ１と異なるものである。本実施の形態では、コネクタ３が本技術の一実施形態のコネクタ（１）の一具体例に該当する。
【００５９】
コネクタ３は、支持体３０に固定された光部筺体２０Ａと、前後方向に移動可能なスライド型筺体２０Ｂとを有している。光部筺体２０Ａは、支持体３０に埋め込まれており、その前面が開口となっている。この光部筺体２０Ａの開口にスライド型筺体２０Ｂが設けられている。メス型コネクタへの未装着時には、スライド型筺体２０Ｂは、支持体３０の前端面（光部筺体２０Ａの開口）から、前方向に突出している。
【００６０】
図２５は、スライド型筺体２０Ｂの正面、図２６は側面の構成をそれぞれ表したものである。スライド型筺体２０Ｂの正面は開口となっており、スライド型筺体２０Ｂが後方に移動すると、この開口から光伝送部２１が露出されるようになっている。スライド型筺体２０Ｂは、光伝送部２１の上面、下面および２つの側面を覆っている。
【００６１】
レンズ２１２を覆う保護カバー２４は、このスライド型筺体２０Ｂに固定されている。これにより、スライド型筺体２０Ｂが後方に移動すると、保護カバー２４から光伝送部２１の前端面が露出される。具体的には、保護カバー２４の上部２４Ａはスライド型筺体２０Ｂの上面に引きずられ、下部２４Ｂはスライド型筺体２０Ｂの下面に引きずられて後方に移動する。上記第１の実施の形態で説明したのと同様に、保護カバー２４は、上下のうち一方の片開きの構成となっていてもよい。
【００６２】
コネクタ３は、コネクタ１のベース部材２２に代えて、ベース部材２２Ａを有している（図２４）。
【００６３】
図２７は、ベース部材２２Ａの正面、図２８（Ａ）は上面、図２８（Ｂ）は側面、図２８（Ｃ）は図２８（Ａ）に示した矢印Ａ方向の側面の構成をそれぞれ示したものである。ベース部材２２Ａは、前方平面（上面）視で矩形状の基部２２Ａ-１と、基部２２Ａ−１の前方向に突出した押出部２２Ａ−２とにより構成されている。基部２２Ａ−１は、光伝送部２１の後方に設けられ、例えばバネなどの弾性部材により光伝送部２１に連結されている。これにより、物理的な刺激による光伝送部２１への衝撃が緩和される。また、製造ばらつき等に起因して光伝送部２１とメス型コネクタの光伝送部（後述の図３０の光伝送部５１）との互いの位置関係にずれが生じている場合にも、この弾性部材によって付加される与圧により、これらを確実に勘合させることができる。基部２２Ａ−１は、上面から前方にかけて屈曲するＬ字状の上部材２２２Ａと板状の下部材２２３Ａとを有している。下部材２２３Ａは、上部材２２２Ａの上面と対向するように配置されている。
【００６４】
押出部２２Ａ−２は、基部２２Ａ−１の両端に設けられ、光伝送部２１の両側に延在している。この押出部２２Ａ−２は、電子機器に装着される際にメス型コネクタの保護カバー（後述の図３２の保護カバー５４）を移動させる役割を担っている。
【００６５】
図２９（Ａ）は光伝送部２１の上面、図２９（Ｂ）は側面の構成をそれぞれ表している。コネクタ３の光伝送部２１は、上記コネクタ１の光伝送部２１と同様の構成を有している。コネクタ３の光伝送部２１は位置規制部２１３Ａを有しており、位置規制部２１３Ａがピン２１３Ｐの端部により構成されている。ピン２１３Ｐは、基部２２Ａ-１に固定されている（図２７）。コネクタ３では、光伝送部２１が移動しないので、ピン２１３Ｐが光伝送部２１に固定されていてもよい。位置規制部２１３Ａがへこみにより構成され、メス型コネクタの位置規制部が突起により構成されていてもよい。
【００６６】
（コネクタ部４の構成）
図３０は、コネクタ３が装着されるコネクタ部４の構成を表したものである。図３１はコネクタ部４の正面、図３２は側面の構成をそれぞれ表している。このコネクタ部４は、コネクタ部２００Ｃとほぼ同様の構成であるが、光伝送部５１が移動しない点においてコネクタ部２００Ｃと異なっている。コネクタ３の光伝送部２１は、コネクタ部４の光部筺体５０内に挿入されて、光伝送がなされるようになっている。
【００６７】
コネクタ部４は、保護カバー５４が固定された連動部材５７（スライド機構）を有しており（図３２）、この連動部材５７が前後方向に移動することにより、コネクタ３の装着時には保護カバー５４から光伝送部５１の前端面が露出されるようになっている。本実施の形態では、コネクタ部４が本技術の一実施形態のコネクタ（２）の一具体例に該当する。
【００６８】
図３３は連動部材５７の正面、図３４（Ａ）は上面、図３４（Ｂ）は側面、図３４（Ｃ）は図３４（Ａ）の矢印Ｂ方向の側面の構成をそれぞれ表している。連動部材５７は、上部材５７Ｕ、下部材５７Ｄおよび２つの側方部材５７Ｓにより構成されている。この連動部材５７の後端には、例えばバネなどの弾性部材が連結されており、連動部材５７は前後方向に移動可能となっている。上部材５７Ｕおよび下部材５７Ｄは、平面視で矩形状を有しており、互いに上下方向に対向して設けられている。この上部材５７Ｕおよび下部材５７Ｄは、光伝送部５１の後方に配置されている。側方部材５７Ｓは、上部材５７Ｕおよび下部材５７Ｄの両端に設けられ、前後方向に長く延在している。コネクタ３の未装着時には、側方部材５７Ｓの前端は保護カバー５４よりも前方に配置されている。コネクタ３が装着されると、この側方部材５７Ｓの前端にコネクタ３の押出部２２Ａ−２が押し当てられて、連動部材５７とともに保護カバー５４が後方に移動する。
【００６９】
（コネクタ３のコネクタ部４への装着）
図３５Ａ〜図３５Ｄは、コネクタ１をコネクタ部２００Ｃに装着する際のこれらの変化を側面視で順に表している。
【００７０】
待機状態ではコネクタ３の光伝送部２１がスライド型筺体２０Ｂに収容されており、コネクタ部４の光伝送部５１は光部筺体５０に収容されている（図３５Ａ）。コネクタ３をコネクタ部４に近づけていくと、まず、コネクタ３の電気部筺体１０がコネクタ部４の電気部筺体４０に差し込まれる。引き続き、コネクタ３を前進させるとコネクタ部４（電気部筺体４０）の前端面にスライド型筺体２０Ｂの前端が押し当てられる。このとき、コネクタ３では、スライド型筺体２０Ｂが後方に移動し始める。また、これとほぼ同時にコネクタ部４では、側方部材５７Ｓの前端にコネクタ３の押出部２２Ａ−２が押し当てられ、連動部材５７とともに保護カバー５４が後方に移動し始める（図３５Ｂ）。更に、コネクタ３を前進させると、保護カバー５４から光伝送部５１が露出される（図３５Ｃ）。
【００７１】
更に、コネクタ３を前進させることにより、スライド型筺体２０Ｂからレンズ２１２が露出されて、レンズ２１２がコネクタ部４の光部筺体５０内に挿入される（図３５Ｄ）。図３６は、このときのコネクタ３の状態を表したものである。コネクタ３の位置規制部２１３Ａがコネクタ部４の位置規制部５１３Ａに勘合されると、コネクタ３とコネクタ部４との間で光伝送がなされる。コネクタ３をコネクタ部４から抜き出すと、上記と逆の動作がなされる。これにより、光伝送部２１はスライド型筺体２０Ｂに収容される。本実施の形態では、スライド型筺体２０Ｂの移動によってレンズ２１２が露出されるので、光伝送部２１のストロークは、ベース部材２２Ａとの間の距離であり、例えば１．０ｍｍである。この光伝送部２１のストロークは、与圧を付加するためのストロークであり、この与圧分の他は、このコネクタ３では光伝送部２１が移動しない。このため、コネクタ３では下位互換性を保証することが困難である。しかしながら、ベース部材２２Ａとの間の距離を十分に確保する、あるいは、光伝送体２１Ｆの撓みを解消する工夫を行うことにより、より長いストロークを持たせることは可能であり、これにより下位互換性を維持することができる。
【００７２】
本実施の形態では、スライド型筺体２０Ｂを設けるようにしたので、未装着時の光伝送部２１をスライド型筺体２０Ｂにより保護することができる。よって、コネクタ３の耐候性を高めることができる。
【００７３】
また、コネクタ部４の光伝送部５１は移動しないので、構造を簡易化することができる。したがって、製造コストを抑えることができる。なお、コネクタ部４をコネクタ３と同様の構成にして、光伝送部５１が与圧付加のために移動し、光伝送部２１が移動しないようになっていてもよい。
【００７４】
更に、オス型コネクタが光伝送部を有しない場合には、保護カバー５４は光伝送部５１を露出しないようになっている。これにより、コネクタ部４の下位互換性が確実に確保され、かつ、光伝送部５１の不要な露出動作を防ぐことができる。
【００７５】
〔第３の実施の形態〕
（コネクタ５の構成）
図３７は、第３の実施の形態に係るコネクタ（コネクタ５）の正面の構成を表したものであり、図３８は、コネクタ５の側面の構成を表している。このコネクタ５は、オス型コネクタ、かつ、プラグであり、１つの筺体（光電部筺体７０）内に光伝送部２１と電気伝送部１１とを有するものである。光電部筺体７０は、支持体７１に支持されている。本実施の形態では、コネクタ５が本技術の一実施形態のコネクタ（３）の一具体例に該当する。
【００７６】
光伝送部２１は光電部筺体７０内に設けられ、電気伝送部１１は、光電部筺体７０内の光伝送部２１よりもさらに内側に設けられている。例えば、図３７では、光伝送部２１が上部、電気伝送部１１が下部に設けられている。光伝送部２１は、支持部２１１と支持部２１１の前端面に並ぶ複数のレンズ２１２とを有している。レンズ２１２は、コネクタ部（後述の図４１のコネクタ部６）への未装着時には、保護カバー７４で覆われている。電気伝送部１１は、支持部１１２と支持部１１２に埋め込まれた複数の電極１１１とを有している。コネクタ５では、電気伝送部１１の支持部１１２にも光学樹脂が用いられている。即ち、光伝送部２１の支持部２１１と電気伝送部１１の支持部１１２とは同一の樹脂材料により構成されており、支持部２１１と支持部１１２とが一体化して構成されている。この樹脂材料には例えば射出成型用樹脂を用いることができる。これにより、支持部２１１は、支持部１１２の別部品として組み込まれた構成に比べてアスペクト比が低くなる、即ち肉厚になるので、これらの成形形状精度および剛性を高めることが可能となる。ここでは、光伝送部２１の支持部２１１が本技術の第１樹脂成形部の一例であり、電気伝送部１１の支持部１１２が本技術の第２樹脂成形部の一例である。
【００７７】
図３９および図４０は保護カバー７４と保護カバー７４を移動させるための連動部材７４Ａの構成を表したものである。図３９（Ａ）は保護カバー７４および連動部材７４Ａの上面、図３９（Ｂ）は側面、図４０は斜視の構成をそれぞれ表している。保護カバー７４および連動部材７４Ａは、光伝送部２１上に設けられおり、保護カバー７４はレンズ２１２を上から覆っている。保護カバー７４は、側面視で円弧状に形成されており、ロール形状を有している。保護カバー７４は、板状の連動部材７４Ａに接続されている。連動部材７４Ａは略矩形状であり、光電部筺体７０の外側、具体的には光電部筺体７０の上面に設けられている。連動部材７４Ａの後端には、例えばバネなどの弾性部材が連結されており、連動部材７４Ａは前後方向に移動可能となっている。この連動部材７４Ａの前端にメス型コネクタが押し当てされると、連動部材７４Ａが後方に移動するのに伴い、保護カバー７４が上に引き上げられ、レンズ２１２が露出されるようになっている。
【００７８】
光電部筺体７０は、金属材料により構成されている。光電部筺体７０は例えば一枚の板金により形成することができる。電気伝送部１１および光伝送部２１を、支持部１１２，２１１の外形基準で一枚の板金により包埋することにより、コネクタ５が形成される。これにより、光伝送部２１の周囲は光電部筺体７０および電気伝送部１１の電極１１１に囲まれるので、光伝送部２１が保護され、かつ、内側と外側の両方から高強度な金属で補強される。これにより、例えば、温度変化に起因した樹脂の変形や湿度変化に起因した樹脂の膨潤などの影響を光伝送部２１が受けにくくなる。
【００７９】
（コネクタ部６の構成）
図４１および図４２は、コネクタ５が装着されるコネクタ部６の構成を表したものである。図４１はコネクタ部６の正面、図４２は側面の構成をそれぞれ表している。このコネクタ部６は、光電部筺体８０内に電気伝送部４１と光伝送部５１とを有するものである。ここでは、詳細な説明は省略するが、上記コネクタ５の保護カバー７４と同様の構成の保護カバーをコネクタ部６に設けるようにしてもよい。
【００８０】
（コネクタ５のコネクタ部６への装着）
コネクタ５をコネクタ部６に近づけていくと、まず、コネクタ５の電気伝送部１１がコネクタ部６の電気伝送部４１に挿入される。引き続き、コネクタ５を前進させるとコネクタ部６の光電部筺体８０の前端に連動部材７４Ａの前端が押し当てられる。これにより、連動部材７４Ａが後方に移動し、保護カバー７４が引き上げられる。更に、コネクタ５を前進させると、保護カバー７４からレンズ２１２が露出されて、レンズ２１２とレンズ５１２とが対向する。レンズ２１２，５１２の位置合わせは、光電部筺体７０，８０によりなされる。これにより、コネクタ５とコネクタ部６との間で光伝送がなされる。
【００８１】
本実施の形態では、光電部筺体７０内に電気伝送部１１と光伝送部２１とを収容するようにしたので、光伝送部２１を光電部筺体７０と共に電気伝送部１１により保護することができる。よって、コネクタ５の耐候性を高めることができる。
【００８２】
また、上記のように樹脂による成形形状精度が高められるので、その外形形状基準で形成された光電部筺体７０の形状精度もより高くなる。よって、光電部筺体７０により、電気伝送部１１に加えて光伝送部２１の位置決めを行うことができる。即ち、光伝送部専用の位置規制部（例えば、図１の位置規制部２１３）が不要となる。
【００８３】
更に、光伝送部２１が移動しないので、光伝送部を有しないコネクタ部に勘合させることができ、かつ、光伝送部２１は破損しにくい。即ち、コネクタ５では下位互換性が確保されている。
【００８４】
[変形例２]
図４３は、変形例２に係るコネクタ部６の側面の構成を表したものである。このように、レセプタクルを有するコネクタ（コネクタ１等）またはコネクタ部（コネクタ部２００Ｃ等）に、配線基板（配線基板８１）が内蔵されていてもよい。
【００８５】
配線基板８１には、光素子８２および駆動素子８３が実装されている。光素子８２は例えば面発光レーザ（ＶＣＳＥＬ : Vertical Cavity Surface Emitting Laser ）またはフォトディテクタ（ＰＤ : Photo detector）であり、駆動素子８３は例えばレーザーダイオードドライバ（ＬＤＤ : Laser Diode Driver）またはトランスインピータンスアンプ（ＴＩＡ : Trans-Impedance Amplifier）である。このコネクタ部６には、光伝送体から光素子８２へと光接続を行うための光接続部材８４、所謂リレーレンズが設けられている。コネクタ５からコネクタ部６へと入射した光は、レンズ５１２を通過して光接続部材８４に入射する。光接続部材８４では、入射した光の進行方向を変えて、光素子８２に入射させるようになっている。光接続部材８４には、例えばミラーが形成されている。
【００８６】
図４４および図４５に示したように、コネクタ部２００Ｃに光素子８２および駆動素子８３が実装された配線基板８１を内蔵するようにしてもよい。図４４は、コネクタ１に未装着時の状態を表し、図４５は装着時の状態を表している。未装着時には、配線基板８１に対向する位置に光接続部材８４が配置され、装着時に光接続部材８４と光素子８２との光接続が行われるようになっている。光接続部材８４には、ミラーが形成されていてもよく、また、レンズ間の距離が長い場合には、部材内部の光伝送経路に光ファイバなどの光伝送体が内蔵されていてもよい。光伝送体を内蔵することにより、部材内部の光の拡散を防ぎ、ひいては光接続部材８４の伝送効率を高めることができる。
【００８７】
図４６に示したように、コネクタ部４に光素子８２および駆動素子８３が実装された配線基板８１を内蔵するようにしてもよい。光接続部材８４にはミラーが形成されていてもよく、あるいは光伝送体が内蔵されていてもよい。
【００８８】
[変形例３]
保護カバー７４の断面形状が、図４７に示したように凹凸を有していてもよい。例えば、プレス加工によりスリットをいれることで、このような形状の保護カバー７４を形成することができる。これにより、保護カバー７４の厚みを大きくして、柔軟性を維持しつつ、堅牢性を向上させることができる。同様に、上記第１の実施の形態および第２の実施の形態で説明した保護カバー２４，５４の断面形状が凹凸を有していてもよい。
【００８９】
以上、実施の形態および変形例を挙げて本技術を説明したが、本技術は上記実施の形態等に限定されるものではなく、種々変形可能である。例えば、上記実施の形態では、コネクタ１等がＨＤＭＩ（登録商標）規格である場合を例示したが、その他の規格であってもよい。
【００９０】
また、上記実施の形態等で説明したオス型コネクタとメス型コネクタとの組み合わせはこれに限定されるものではない。例えば、上記第２の実施の形態ではオス型コネクタ（コネクタ３）がスライド型筺体を有する場合について説明したが、メス型コネクタ（コネクタ部４）がスライド型筺体を有していてもよい。
【００９１】
更に、上記実施の形態等では、コネクタと電子機器とを装着する場合について説明したが、電子機器内のデバイス同士をコネクタにより接続するようにしてもよい。また、電子機器は、ノート型パーソナルコンピュータ以外の電子機器であってもよい。加えて、コネクタは、ケーブルのない、例えばＵＳＢ（登録商標）メモリ等であってもよい。
【００９２】
また、更に、例えば、上記実施の形態において説明した各部の材料および厚み、または形成方法および形成条件などは限定されるものではなく、他の材料および厚みとしてもよく、または他の形成方法および形成条件としてもよい。
【００９３】
本明細書中に記載された効果は一例であり、他の効果であってもよいし、更に他の効果を含んでいてもよい。
【００９４】
なお、本技術は、以下のような構成も可能である。
（１）
電気伝送部と、
光伝送経路の一端にレンズを有する光伝送部と、
前記光伝送部を収容可能な筺体と、
前記筺体の前面から露出された位置で前記レンズを被コネクト部に装着させるスライド機構と
を備えたコネクタ。
（２）
前記スライド機構により、前記光伝送部は被コネクト部に向かう第１方向に移動する
前記（１）記載のコネクタ。
（３）
前記スライド機構は、被コネクト部の前面に接触して前記光伝送部を移動させる
前記（２）記載のコネクタ。
（４）
前記スライド機構により、前記筺体が被コネクト部から離れる第２方向に移動する
前記（１）記載のコネクタ。
（５）
前記スライド機構は、被コネクト部の前面に接触して前記筺体を移動させる
前記（４）記載のコネクタ。
（６）
前記電気伝送部は、前記筺体の外側に設けられている
前記（１）乃至（５）のうちいずれか１つ記載のコネクタ。
（７）
前記筺体内で前記レンズを覆う保護カバーを有する
前記（１）乃至（６）のうちいずれか１つ記載のコネクタ。
（８）
前記保護カバーはロール形状を有する
前記（７）記載のコネクタ。
（９）
前記保護カバーの断面形状は凹凸を有する
前記（７）または（８）記載のコネクタ。
（１０）
前記光伝送部は、弾性部材を介してベース部材に連結されている
前記（１）乃至（９）のうちいずれか１つ記載のコネクタ。
（１１）
レセプタクルを有し、
前記レセプタクルには、光素子および駆動素子が搭載された電子基板が内蔵されている
前記（１）乃至（１０）のうちいずれか１つ記載のコネクタ。
（１２）
前記光伝送部から前記光素子への光接続部材を有する
前記（１１）記載のコネクタ。
（１３）
前記光接続部材には光伝送体が内蔵されている
前記（１２）記載のコネクタ。
（１４）
前記光伝送部は凹部を有し、
前記レンズは前記凹部に設けられている
前記（１）乃至（１３）のうちいずれか１つ記載のコネクタ。
（１５）
第１樹脂成形部を有する光伝送部と、
前記第１樹脂成形部と同じ樹脂材料により一体的に構成された第２樹脂成形部を有する電気伝送部と、
前記電気伝送部および前記光伝送部を収容する筺体と
を備えたコネクタ
（１６）
プラグである
前記（１５）記載のコネクタ。
（１７）
前記光伝送部は、光伝送経路の一端にレンズを有し、
前記レンズを覆う保護カバーと、
前記保護カバーから前記レンズを露出させて前記レンズを被コネクト部に装着させるスライド機構とを備えた
前記（１５）または（１６）記載のコネクタ。
（１８）
前記筺体は金属材料により構成されている
前記（１５）乃至（１７）のうちいずれか１つ記載のコネクタ。
（１９）
電気伝送部および光伝送部と、
前記光伝送部の前端面を覆う保護カバーと、
前記保護カバーから露出された位置で前記光伝送部を被コネクト部に装着させるスライド機構と
を備えたコネクタ。
（２０）
装着されるコネクタと逆タイプのコネクタ部を有し、
前記コネクタ部は、
電気伝送部と、
光伝送経路の一端にレンズを有する光伝送部と、
前記光伝送部を収容可能な筺体と、
前記筺体の前面から露出された位置で前記レンズを被コネクト部に装着させるスライド機構とを備えた
電子機器。
（２１）
装着されるコネクタと逆タイプのコネクタ部を有し、
前記コネクタ部は、
第１樹脂成形部を有する光伝送部と、
前記第１樹脂成形部と同じ樹脂材料により一体的に構成された第２樹脂成形部を有する電気伝送部と、
前記電気伝送部および前記光伝送部を収容する筺体とを備えた
電子機器。
（２２）
装着されるコネクタと逆タイプのコネクタ部を有し、
前記コネクタ部は、
電気伝送部および光伝送部と、
前記光伝送部の前端面を覆う保護カバーと、
前記保護カバーから露出された位置で前記光伝送部を被コネクト部に装着させるスライド機構とを備えた
電子機器。
【００９５】
本出願は、日本国特許庁において２０１６年６月１日に出願された日本特許出願番号第２０１６−１０９９８０号を基礎として優先権を主張するものであり、この出願の全ての内容を参照によって本出願に援用する。
【００９６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2017208654.tif 000003
【図２】
2017208654.tif 000004
【図３】
2017208654.tif 000005
【図４】
2017208654.tif 000006
【図５】
2017208654.tif 000007
【図６】
2017208654.tif 000008
【図７】
2017208654.tif 000009
【図８】
2017208654.tif 000010
【図９】
2017208654.tif 000011
【図１０】
2017208654.tif 000012
【図１１】
2017208654.tif 000013
【図１２】
2017208654.tif 000014
【図１３】
2017208654.tif 000015
【図１４】
2017208654.tif 000016
【図１５】
2017208654.tif 000017
【図１６】
2017208654.tif 000018
【図１７】
2017208654.tif 000019
【図１８Ａ】
2017208654.tif 000020
【図１８Ｂ】
2017208654.tif 000021
【図１８Ｃ】
2017208654.tif 000022
【図１８Ｄ】
2017208654.tif 000023
【図１９Ａ】
2017208654.tif 000024
【図１９Ｂ】
2017208654.tif 000025
【図１９Ｃ】
2017208654.tif 000026
【図２０Ａ】
2017208654.tif 000027
【図２０Ｂ】
2017208654.tif 000028
【図２１】
2017208654.tif 000029
【図２２】
2017208654.tif 000030
【図２３】
2017208654.tif 000031
【図２４】
2017208654.tif 000032
【図２５】
2017208654.tif 000033
【図２６】
2017208654.tif 000034
【図２７】
2017208654.tif 000035
【図２８】
2017208654.tif 000036
【図２９】
2017208654.tif 000037
【図３０】
2017208654.tif 000038
【図３１】
2017208654.tif 000039
【図３２】
2017208654.tif 000040
【図３３】
2017208654.tif 000041
【図３４】
2017208654.tif 000042
【図３５Ａ】
2017208654.tif 000043
【図３５Ｂ】
2017208654.tif 000044
【図３５Ｃ】
2017208654.tif 000045
【図３５Ｄ】
2017208654.tif 000046
【図３６】
2017208654.tif 000047
【図３７】
2017208654.tif 000048
【図３８】
2017208654.tif 000049
【図３９】
2017208654.tif 000050
【図４０】
2017208654.tif 000051
【図４１】
2017208654.tif 000052
【図４２】
2017208654.tif 000053
【図４３】
2017208654.tif 000054
【図４４】
2017208654.tif 000055
【図４５】
2017208654.tif 000056
【図４６】
2017208654.tif 000057
【図４７】
2017208654.tif 000058
【国際調査報告】
2017208654.tif 000059
2017208654.tif 000060
2017208654.tif 000061
2017208654.tif 000062